(57)【要約】【課題】各画素の開口率の低下を殆ど招くことなく、動画像を表示する際の残像及び尾引き等の表示上の不具合を低減する。【解決手段】電気光学装置は、一対の基板（１０、２０）と、一対の基板間に挟持された電気光学物質（５０）と、互いに交差するように設けられたデータ線（６）及び走査線（１１）と、データ線及び走査線の交差に夫々対応して設けられた複数の画素と、複数の画素のうち第１画素毎に設けられ、一端側に位置する二つの角部が切り欠かれてなる平面形状を有する第１画素電極（９１）と、複数の画素のうち第１画素と互いに隣り合う第２画素毎に設けられ、一端とは異なる他端側に位置する二つの角部が切り欠かれてなる平面形状を有する第２画素電極（９２）とを備える。【選択図】図４
2010060901.tif 000002
【特許請求の範囲】
【請求項１】
一対の基板と、
前記一対の基板間に挟持された電気光学物質と、
互いに交差するように設けられた複数のデータ線及び複数の走査線と、
前記複数のデータ線及び前記複数の走査線の交差に夫々対応して設けられた複数の画素と、
前記複数の画素のうち第１画素毎に設けられ、一端側に位置する二つの角部が切り欠かれてなる平面形状を有する複数の第１画素電極と、
前記第１画素と互いに隣り合う第２画素毎に設けられ、前記一端とは異なる他端側に位置する二つの角部が切り欠かれてなる平面形状を有する複数の第２画素電極と
を備えることを特徴とする電気光学装置。
【請求項２】
前記複数の画素のうち前記走査線が延びる方向に沿って前記第１及び第２画素と互いに隣り合う第３画素毎に設けられ、前記第１及び第２画素電極と異なる平面形状を有する複数の第３画素電極を備えることを特徴とする請求項１に記載の電気光学装置。
【請求項３】
前記第１画素は、前記データ線が延びる方向に沿って前記第２又は第３画素と互いに隣り合うように規定され、
前記第２画素は、前記データ線が延びる方向に沿って前記第１又は第３画素と互いに隣り合うように規定され、
前記第３画素は、前記データ線が延びる方向に沿って前記第１又は第２画素と互いに隣り合うように規定される
ことを特徴とする請求項２に記載の電気光学装置。
【請求項４】
前記第３画素電極は、矩形状の平面形状を有することを特徴とする請求項２又は３に記載の電気光学装置。
【請求項５】
前記第１画素電極は、前記一端側に位置する二つの角部がＬ字状に切り欠かれてなる平面形状を有し、
前記第２画素電極は、前記他端側に位置する二つの角部がＬ字状に切り欠かれてなる平面形状を有する
ことを特徴とする請求項１から４のいずれか一項に記載の電気光学装置。
【請求項６】
請求項１から５のいずれか一項に記載の電気光学装置を具備してなることを特徴とする電子機器。
【発明の詳細な説明】
【技術分野】
【０００１】
本発明は、例えば液晶装置等の電気光学装置、及び該電気光学装置を備えた、例えば液晶プロジェクタ等の電子機器の技術分野に関する。
【背景技術】
【０００２】
この種の電気光学装置の一例である液晶装置では、液晶を保持する一対の基板の各々に設けられた画素電極及び対向電極間に所定の電圧を印加することによってこれら電極間に介在する液晶分子の配向状態を制御し、画像が表示される。このような液晶装置では、基板上で互いに隣り合う画素電極の各々の電位の差に応じて当該画素電極間に発生する横電界（即ち、基板面に平行な電界或いは基板面に平行な成分を含む斜めの電界）によって液晶分子の配向不良が生じてしまうおそれがある。更に、このような液晶装置では、動画像を表示した際に、横電界の影響によって画像の残像及び尾引き（動画像を表示した際に動いている物体が残像を残して、裾を引いてぼやけて見えることによってなめらかな動画像を得られない現象）が生じるおそれがある。そこで、例えば特許文献１では、画素電極の平面形状を工夫することによって、動画像を表示する際の残像及び尾引きを低減する技術が開示されている。より具体的には、特許文献１には、凹部を有する第１画素電極と、該凹部によって規定された領域に重なるように突出した凸部を有する第２電極とを備えた電気光学装置が開示されている。例えば特許文献２には、リバースチルトドメインの長手方向に対応した画素電極幅を、リバースチルトドメインが形成されていない部分の画素電極幅よりも狭くすることにより、隣接するリバースチルトドメイン同士を長手方向に引き離す技術が提案されている。
【０００３】
【特許文献１】特開２００８−９６６１６号公報
【特許文献２】特開２００１−３１８３８８号公報
【発明の開示】
【発明が解決しようとする課題】
【０００４】
しかしながら、上述した特許文献１に開示された技術によれば、仮に、残像及び尾引きを低減するために、凹部や凸部が比較的大きなるように第１画素電極及び第２画素電極が形成される場合には、各画素の開口率（各画素における全領域に対する開口領域の比率）が低下してしまうおそれがあるという技術的問題点がある。
【０００５】
本発明は、例えば上述した問題点に鑑みなされたものであり、例えば、各画素の開口率の低下を殆ど招くことなく、動画像を表示する際の残像及び尾引き等の表示上の不具合が発生することを低減でき、高品位な画像を表示可能な電気光学装置及びそのような電気光学装置を備えた電子機器を提供することを課題とする。
【課題を解決するための手段】
【０００６】
本発明の電気光学装置は上記課題を解決するために、一対の基板と、前記一対の基板間に挟持された電気光学物質と、互いに交差するように設けられた複数のデータ線及び複数の走査線と、前記複数のデータ線及び前記複数の走査線の交差に夫々対応して設けられた複数の画素と、前記複数の画素のうち第１画素毎に設けられ、一端側に位置する二つの角部が切り欠かれてなる平面形状を有する複数の第１画素電極と、前記第１画素と互いに隣り合う第２画素毎に設けられ、前記一端とは異なる他端側に位置する二つの角部が切り欠かれてなる平面形状を有する複数の第２画素電極とを備える。
【０００７】
本発明の電気光学装置によれば、一対の基板間には、例えば液晶等の電気光学物質が挟持される。例えば一対の基板のうち一方の基板上には、複数のデータ線及び複数の走査線が互いに交差するように設けられる。複数のデータ線及び複数の走査線の交差に対応して、複数の画素が例えばマトリクス状に規定される。複数の画素のうち、例えば走査線が延びる方向（即ち、データ線の配列方向、或いはＸ方向）に沿って、互いに隣り合う第１画素及び第２画素には、それぞれ、第１画素電極及び第２画素電極が設けられる。言い換えれば、第１画素電極及び第２画素電極は、画素毎に１つずつ設けられる複数の画素電極のうち、例えば走査線が延びる方向に沿って互いに隣り合う２つの画素電極の組として設けられる。複数の第１画素電極及び複数の第２画素電極は、例えば走査線が延びる方向に沿って、例えば、第１画素電極、第２画素電極、第１画素電極、第２画素電極、第１画素電極、第２画素電極、・・・のように配列される。尚、複数の画素電極には、第１画素電極及び第２画素電極のいずれとも平面形状が異なる複数の第３画素電極が含まれてもよい。この場合には、複数の第１画素電極、複数の第２画素電極及び複数の第３画素電極は、例えば走査線が延びる方向に沿って、例えば、第１画素電極、第２画素電極、第３画素電極、第１画素電極、第２画素電極、第３画素電極、第１画素電極、第２画素電極、第３画素電極、・・・のように配列されてもよい。
【０００８】
本発明の電気光学装置の動作時には、第１及び第２画素電極を含む複数の画素電極と、例えば他方の基板上に複数の画素電極に対向するように形成された対向電極と間の電気光学物質に画像信号に基づく電圧が印加されることにより、複数の画素によって構成される画素領域において画像表示が行われる。
【０００９】
本発明では特に、複数の第１画素電極の各々は、例えば矩形状の四つの角部のうち、一端側に位置する二つの角部、即ち、例えばデータ線の一端側（言い換えれば、一方の基板の走査線に沿う二辺のうち一方の辺側、例えば外部回路接続端子が配列される一辺側）に位置する二つの角部が例えばＬ字状に切り欠かれてなる平面形状を有する。更に、複数の第２画素電極の各々は、例えば矩形状の四つの角部のうち、他端側に位置する二つの角部、即ち、例えばデータ線の他端側（言い換えれば、一方の基板の走査線に沿う二辺のうち他方の辺側、例えば外部回路接続端子が配列される一辺と対向する他辺側）に位置する二つの角部が切り欠かれてなる平面形状を有する。
【００１０】
よって、第１画素電極及び第２画素電極間に生じる横電界を少なくとも部分的に弱めることができる。より具体的には、例えば走査線が延びる方向に沿って互いに隣り合う第１画素電極及び第２画素電極間で、例えばデータ線が延びる方向に沿って横電界が部分的に切断されるように、横電界を弱めることが可能であり、第１画素電極及び第２画素電極間に生じる電界強度分布を不均一にすることができる。言い換えれば、第１画素電極及び第２画素電極間に横電界が、例えばデータ線が延びる方向に沿って比較的強い強度で連続的に発生することを低減或いは防止できる。従って、動画像を表示する際における横電界に起因する残像及び尾引き等の表示上の不具合の発生を低減できる。
【００１１】
更に、本発明の電気光学装置によれば、第１画素電極及び第２画素電極間に生じる電界強度分布を不均一にすることができる程度に、第１画素電極及び第２画素電極の各々が、例えば矩形状の四つの角部のうち二つの角部が切り欠かれてなる平面形状を有すればよいため、各画素の開口率の低下を殆ど招くことなく、横電界に起因する残像及び尾引き等の表示上の不具合の発生を低減できる。
【００１２】
以上説明したように、本発明の電気光学装置によれば、各画素の開口率の低下を殆ど招くことなく、動画像を表示する際の残像及び尾引き等の表示上の不具合が発生することを低減できる。この結果、高品位な画像を表示することが可能である。
【００１３】
本発明の電気光学装置の一態様では、前記複数の画素のうち前記走査線が延びる方向に沿って前記第１及び第２画素と互いに隣り合う第３画素毎に設けられ、前記第１及び第２画素電極と異なる平面形状を有する複数の第３画素電極を備える。
【００１４】
この態様によれば、複数の第３画素電極の各々は、例えば矩形状など、第１画素電極及び第２画素電極のいずれとも異なる平面形状を有する。第３画素電極は、例えば走査線が延びる方向に沿って第１画素及び第２画素と互いに隣り合う第３画素毎に設けられる。例えば、複数の第１画素電極、複数の第２画素電極及び複数の第３画素電極は、走査線が延びる方向に沿って、例えば、第１画素電極、第２画素電極、第３画素電極、第１画素電極、第２画素電極、第３画素電極、第１画素電極、第２画素電極、第３画素電極、・・・のように配列される（或いは、例えば、第２画素電極、第１画素電極、第３画素電極、第２画素電極、第１画素電極、第３画素電極、第２画素電極、第１画素電極、第３画素電極、・・・のように配列される）。
【００１５】
よって、第１画素電極及び第２画素電極間、第１画素電極及び第３画素電極間、並びに、第２画素電極及び第３画素電極間の各々に生じる電界強度分布を不均一にすることができる。従って、動画像を表示する際における横電界に起因する残像及び尾引き等の表示上の不具合の発生をより確実に低減できる。
【００１６】
上述した複数の第３画素電極を備える態様では、前記第１画素は、前記データ線が延びる方向に沿って前記第２又は第３画素と互いに隣り合うように規定され、前記第２画素は、前記データ線が延びる方向に沿って前記第１又は第３画素と互いに隣り合うように規定され、前記第３画素は、前記データ線が延びる方向に沿って前記第１又は第２画素と互いに隣り合うように規定されてもよい。
【００１７】
この場合には、第１画素電極同士は、データ線が延びる方向に沿って互いに隣り合わず、且つ、第２画素電極同士は、データ線が延びる方向に沿って互いに隣り合わず、且つ、第３画素電極同士は、データ線が延びる方向に沿って互いに隣り合わない。よって、複数の画素のうち互いに隣り合うデータ線にそれぞれ対応して規定される画素に設けられた画素電極間に横電界が、データ線が延びる方向に沿って比較的強い強度で連続的に発生することをより確実に低減或いは防止できる。
【００１８】
上述した複数の第３画素電極を備える態様では、前記第３画素電極は、矩形状の平面形状を有していてもよい。
【００１９】
この場合には、第３画素電極の平面形状は、矩形状であり、比較的単純であるので、第３画素電極を容易に形成できる。更に、第３画素の開口率の低下を殆ど或いは実践上全く招くことなく、横電界に起因する残像及び尾引き等の表示上の不具合の発生を低減できる。
【００２０】
本発明の電気光学装置の他の態様では、前記第１画素電極は、前記一端側に位置する二つの角部がＬ字状に切り欠かれてなる平面形状を有し、前記第２画素電極は、前記他端側に位置する二つの角部がＬ字状に切り欠かれてなる平面形状を有する。
【００２１】
この態様によれば、第１及び第２画素電極の各々は、例えば矩形状の四つの角部のうち二つの角部がＬ字状に切り欠かれてなる平面形状という比較的単純な平面形状を有しているので、第１及び第２画素電極を容易に形成できる。更に、第１及び第２画素の開口率の低下を殆ど或いは実践上全く招くことなく、横電界に起因する残像及び尾引き等の表示上の不具合の発生を低減できる。
【００２２】
本発明の電子機器は上記課題を解決するために、上述した本発明の電気光学装置（但し、その各種態様も含む）を具備する。
【００２３】
本発明の電子機器によれば、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【００２４】
本発明の作用及び他の利得は次に説明する実施するための最良の形態から明らかにされる。
【発明を実施するための最良の形態】
【００２５】
以下では、本発明の実施形態について図を参照しつつ説明する。以下の実施形態では、本発明の電気光学装置の一例である駆動回路内蔵型のＴＦＴ（Thin Film Transistor）アクティブマトリクス駆動方式の液晶装置を例にとる。
【００２６】
＜第１実施形態＞
第１実施形態に係る液晶装置について、図１から図６を参照して説明する。
【００２７】
先ず、本実施形態に係る液晶装置の全体構成について、図１及び図２を参照して説明する。ここに図１は、本実施形態に係る液晶装置の構成を示す平面図であり、図２は、図１のＨ−Ｈ’線断面図である。
【００２８】
図１及び図２において、本実施形態に係る液晶装置１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域５２ａに設けられたシール材５２により相互に接着されている。シール材５２は、両基板を貼り合わせるための、例えば紫外線硬化樹脂等の光硬化型接着材料からなり、製造プロセスにおいてＴＦＴアレイ基板１０上に塗布された後、紫外線照射等の光照射により硬化させられたものである。
【００２９】
図１において、シール材５２が配置されたシール領域５２ａの内側に並行して、画像表示領域１０ａの額縁領域５３ａを規定する遮光性の額縁遮光膜５３が、対向基板２０側に設けられている。シール材５２が配置されたシール領域５２ａの外側に位置する領域には、データ線駆動回路１０１及び外部回路接続端子１０２がＴＦＴアレイ基板１０の一辺に沿って設けられている。また、走査線駆動回路１０４は、この一辺に隣接する２辺に沿ったシール領域５２ａの内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３０】
ＴＦＴアレイ基板１０上には、外部回路接続端子１０２と、データ線駆動回路１０１、走査線駆動回路１０４、上下導通端子１０６等とを電気的に接続するための引回配線１９０が形成されている。
【００３１】
図２において、ＴＦＴアレイ基板１０上には、駆動素子である画素スイッチング用のＴＦＴ３０（図３参照）や走査線１１（図３参照）、データ線６（図３参照）等の配線が作り込まれた積層構造が形成されている。画像表示領域１０ａには、画素スイッチング用のＴＦＴや走査線、データ線等の配線の上層に配置された絶縁膜上にＩＴＯ（Indium Tin Oxide）等の透明材料からなる画素電極９がマトリクス状に設けられている。尚、図４及び図５を参照して後述するように、複数の画素電極９は、互いに平面形状が異なる、複数の第１画素電極９１と、複数の第２画素電極９２と、複数の第３画素電極９３とから構成されている。
【００３２】
画素電極９上には、例えばポリイミド等の有機材料からなる配向膜１６が画素電極９を覆うように形成されている。配向膜１６は、ラビング処理が施されており、電圧無印加時の液晶分子の配列を揃える機能を有している。尚、配向膜１６は、例えばシリカ（ＳｉＯ２）等の無機材料から形成されてもよい。
【００３３】
他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に、ＩＴＯ等の透明材料からなる対向電極２１が複数の画素電極９と対向してベタ状に形成されている。対向電極２１上には、例えばポリイミド等の有機材料からなる配向膜２２が形成されている。尚、配向膜２２は、例えばシリカ（ＳｉＯ２）等の無機材料から形成されてもよい。
【００３４】
また、液晶層５０は、本発明に係る「電気光学物質」の一例としての例えば一種又は数種類のネマティック液晶を混合した液晶からなり、これら一対の配向膜間で、所定の配向状態をとる。
【００３５】
尚、ここでは図示しないが、ＴＦＴアレイ基板１０上には、データ線駆動回路１０１、走査線駆動回路１０４の他に、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該液晶装置の品質、欠陥等を検査するための検査回路、検査用パターン等が形成されていてもよい。
【００３６】
次に、本実施形態に係る液晶装置の画素部の電気的な構成について、図３を参照して説明する。ここに図３は、本実施形態に係る液晶装置の複数の画素部の等価回路図である。
【００３７】
図３において、本実施形態に係る液晶装置１００の画像表示領域１０ａには、複数の画素部５００がマトリクス状に配列されている。複数の画素部５００には、それぞれ、画素電極９と該画素電極９をスイッチング制御するためのＴＦＴ３０とが形成されており、画像信号が供給されるデータ線６がＴＦＴ３０のソースに電気的に接続されている。データ線６に書き込む画像信号ＶＳ１、ＶＳ２、…、ＶＳｎは、この順に線順次に供給しても構わないし、互いに隣り合う複数のデータ線６同士に対して、グループ毎に供給するようにしてもよい。
【００３８】
また、ＴＦＴ３０のゲートに走査線１１が電気的に接続されており、所定のタイミングで、走査線１１にパルス的に走査信号Ｇ１、Ｇ２、…、Ｇｍを、この順に線順次で印加するように構成されている。画素電極９は、ＴＦＴ３０のドレインに電気的に接続されており、スイッチング素子であるＴＦＴ３０を一定期間だけそのスイッチを閉じることにより、データ線６から供給される画像信号ＶＳ１、ＶＳ２、…、ＶＳｎを所定のタイミングで書き込む。
【００３９】
画素電極９を介して液晶に書き込まれた所定レベルの画像信号ＶＳ１、ＶＳ２、…、ＶＳｎは、対向基板２０（図２参照）に形成された対向電極２１（図２参照）との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置からは画像信号に応じたコントラストをもつ光が出射する。
【００４０】
ここで保持された画像信号がリークするのを防ぐために、画素電極９と対向電極２１との間に形成される液晶容量と並列に蓄積容量７０が付加されている。蓄積容量７０の一方の電極は、画素電極９と並列してＴＦＴ３０のドレインに電気的に接続され、他方の電極は、容量配線４００に電気的に接続されている。
【００４１】
次に、本実施形態に係る液晶装置の画素電極の具体的な構成について、図４及び図５を参照して説明する。ここに図４は、本実施形態に係る液晶装置の複数の画素電極の構成を示す平面図である。図５は、図４に示す複数の画素電極のうち互いに隣り合う第１画素電極及び第２画素電極を拡大して示す平面図である。
【００４２】
図４において、複数の画素電極９は、ＴＦＴアレイ基板１０（図２参照）上における画像表示領域１０ａ（図１参照）に、マトリクス状に配列されている。即ち、複数の画素電極９は、ＴＦＴアレイ基板１０上における複数のデータ線６及び複数の走査線１１の交差に対応してマトリクス状に規定された画素毎に設けられている。複数のデータ線６の各々は、Ｙ方向に沿って延びるように形成されている。複数の走査線１１の各々は、Ｘ方向に沿って延びるように形成されている。データ線６及び走査線１１は、それぞれ、各画素の開口領域（即ち、各画素において表示に寄与する光が出射される領域）の周縁の一部を規定している。データ線６及び走査線１１が形成される領域は、表示に寄与する光が出射しない非開口領域として規定されている。尚、図２を参照して上述したように、複数の画素電極９は、走査線１１及びデータ線６より一又は複数の絶縁膜を介して上層側に形成されている。また、走査線１１とデータ線６とは絶縁膜を介して互いに異なる層に形成されている。
【００４３】
本実施形態では特に、複数の画素電極９は、互いに平面形状が異なる、複数の第１画素電極９１と、複数の第２画素電極９２と、複数の第３画素電極９３とから構成されている。
【００４４】
複数の第１画素電極９１、複数の第２画素電極９２及び複数の第３画素電極９３は、走査線１１が延びる方向（即ち、Ｘ方向）に沿って、第１画素電極９１、第２画素電極９２、第３画素電極９３、第１画素電極９１、第２画素電極９２、第３画素電極９３、第１画素電極９１、第２画素電極９２、第３画素電極９３、・・・のように配列されている。即ち、複数の第１画素電極９１、複数の第２画素電極９２、複数の第３画素電極９３は、走査線１１が延びる方向に沿って、第１画素電極９１と第２画素電極９２とが互いに隣り合うように、且つ、第３画素電極９３が第１画素電極９１及び第２画素電極９２の両方と隣り合うように配列されている。言い換えれば、走査線１１が延びる方向に沿って互いに隣り合う第１画素電極９１及び第２画素電極９２を組として、この組と第３画素電極９３とが走査線１１が延びる方向に沿って交互に配列されている。
【００４５】
更に、上述したような第１画素電極９１、第２画素電極９２及び第３画素電極９３の走査線１１が延びる方向に沿った配列は、互いに隣り合う走査線１１では、１画素分だけずれている。即ち、複数の第１画素電極９１、複数の第２画素電極９２及び複数の第３画素電極９３は、第１画素電極９１同士が、データ線６が延びる方向に沿って互いに隣り合わないように、且つ、第２画素電極９２同士が、データ線６が延びる方向に沿って互いに隣り合わないように、且つ、第３画素電極９３同士が、データ線６が延びる方向に沿って互いに隣り合わないように、配列されている。
【００４６】
図４及び図５において、複数の第１画素電極９１の各々は、矩形状の四つの角部のうち、データ線６の一端側（図４及び図５中で上側）に位置する二つの角部がＬ字状に切り欠かれてなる平面形状を有している。即ち、複数の画素電極９１の各々は、略矩形状の平面形状を有しており、四つの角部のうちデータ線６の一端側に位置する二つの角部がＬ字状に切り欠かれてなる切欠部５１１を有している。
【００４７】
複数の第２画素電極９２の各々は、矩形状の四つの角部のうち、データ線６の他端側（図４及び図５中で下側）に位置する二つの角部がＬ字状に切り欠かれてなる平面形状を有している。即ち、複数の画素電極９２の各々は、略矩形状の平面形状を有しており、四つの角部のうちデータ線６の一端側に位置する二つの角部がＬ字状に切り欠かれてなる切欠部５２１を有している。
【００４８】
図４において、複数の画素電極９３の各々は、矩形状の平面形状を有している。
【００４９】
このように、本実施形態では特に、第１画素電極９１及び第２画素電極９２は、走査線１１が延びる方向に沿って互いに隣り合うように配列されおり、第１画素電極９１は、矩形状の四つの角部のうち、データ線６の一端側に位置する二つの角部がＬ字状に切り欠かれてなる平面形状（即ち、データ線６の一端側に２つの切欠部５１１が形成された略矩形状の平面形状）を有しており、第２画素電極９２は、矩形状の四つの角部のうち、データ線６の他端側に位置する二つの角部が切り欠かれてなる平面形状（即ち、データ線６の他端側に２つの切欠部５２１が形成された略矩形状の平面形状）を有している。
【００５０】
よって、走査線１１が延びる方向に沿って互いに隣り合う画素電極９間（即ち、第１画素電極９１及び第２画素電極９２間）に生じる横電界を少なくとも部分的に弱めることができる。より具体的には、走査線１１が延びる方向に沿って互いに隣り合う第１画素電極９１及び第２画素電極９２間で、データ線６が延びる方向に沿って横電界が部分的に切断されるように、横電界を弱めることが可能であり、第１画素電極９１及び第２画素電極９２間に生じる電界強度分布を不均一にすることができる。言い換えれば、第１画素電極９１及び第２画素電極９２間に横電界が、データ線６が延びる方向に沿って比較的強い強度で連続的に発生することを低減或いは防止できる。従って、動画像を表示する際における横電界に起因する残像及び尾引き等の表示上の不具合の発生を低減できる。
【００５１】
更に、本実施形態に係る液晶装置１００によれば、第１画素電極９１及び第２画素電極９２間に生じる電界強度分布を不均一にすることができる程度に、第１画素電極９１及び第２画素電極９２の各々が、矩形状の四つの角部のうち二つの角部が切り欠かれてなる平面形状を有すればよいため、各画素の開口率の低下を殆ど招くことなく、横電界に起因する残像及び尾引き等の表示上の不具合の発生を低減できる。
【００５２】
加えて、本実施形態では特に、第１画素電極９１及び第２画素電極９２のいずれとも異なる平面形状を有する第３画素電極９３が、走査線１１が延びる方向に沿って第１画素電極９１及び第２画素電極９２と互いに隣り合うように設けられている。よって、第１画素電極９１及び第２画素電極９２間に加えて、第１画素電極９１及び第３画素電極９３間、及び、第２画素電極９２及び第３画素電極９３間の各々に生じる電界強度分布を不均一にすることができる。従って、動画像を表示する際における横電界に起因する残像及び尾引き等の表示上の不具合の発生をより確実に低減できる。
【００５３】
本実施形態では特に、上述したように、複数の第１画素電極９１、複数の第２画素電極９２及び複数の第３画素電極９３は、第１画素電極９１同士が、データ線６が延びる方向に沿って互いに隣り合わないように、且つ、第２画素電極９２同士が、データ線６が延びる方向に沿って互いに隣り合わないように、且つ、第３画素電極９３同士が、データ線６が延びる方向に沿って互いに隣り合わないように、配列されている。よって、複数の画素のうち互いに隣り合うデータ線６にそれぞれ対応して規定される画素に設けられた画素電極９間に横電界が、データ線６が延びる方向に沿って比較的強い強度で連続的に発生することをより確実に低減或いは防止できる。
【００５４】
図６は、本実施形態の比較例に係る液晶装置における液晶の配向状態を図式的に示す概念図である。
【００５５】
図６に比較例として示すように、仮に、互いに隣り合う画素電極９ａ及び９ｂが、互いに同じ平面形状（例えば矩形状）を有する場合には、一方の画素電極９ａに駆動電圧Ｖが印加されると共に他方の画素電極９ｂが非駆動状態（例えば、他方の画素電極９ｂの電位が対向電極２１の電位と一致している状態）にあるとき、互いに隣り合う画素電極９ａ及び９ｂ間には、これら画素電極の電位の差に起因して横電界Ｅが生じる。このような横電界Ｅによれば、駆動状態にある一方の画素電極９ａ及び対向電極２１間において、これら電極の電位の差に応じて本来取るべき配向状態として液晶５０ａのチルト角が規制された領域Ｄ３、横電界Ｅによって液晶にリバースチルトが生じた領域Ｄ１、並びに、領域Ｄ１及びＤ３の間で不安定な配向状態として液晶５０ａのチルト角が規制された領域Ｄ２が形成される。このような領域Ｄ１及びＤ２の存在によって、液晶装置が動画像を表示した際に残像或いは尾引き等の表示上の不具合が生じてしまうおそれがある。
【００５６】
しかるに、本実施形態では特に、図４及び図５を参照して上述したような複数の第１画素電極９１、複数の第２画素電極９２及び複数の第３画素電極９３を複数の画素電極９として備えているので、各画素の開口率の低下を殆ど招くことなく、互いに隣り合う画素電極９間に発生する横電界を緩和できる。
【００５７】
尚、本実施形態では、各画素電極９に印加される電圧極性を所定規則で反転させる反転駆動方式が採用されてもよい。例えば、画素電極９に供給する画像信号の極性を、所定電位を基準として正極性と負極性とに１水平走査期間毎に反転させる１Ｈ反転駆動方式や、互いに隣り合う画素電極９毎に反転させるドット反転駆動方式が採用されてもよい。互いに隣り合う画素電極９間に横電界が生じ得る駆動方式であれば如何なる駆動方式に対しても、横電界を低減する効果を得ることができる。
【００５８】
以上説明したように、本実施形態に係る液晶装置１００によれば、各画素の開口率の低下を殆ど招くことなく、動画像を表示する際の残像及び尾引き等の表示上の不具合が発生することを低減できる。この結果、高品位な画像を表示することが可能である。
【００５９】
＜第２実施形態＞
第２実施形態に係る液晶装置について、図７を参照して説明する。ここに図７は、第２実施形態に係る液晶装置の複数の画素電極の構成を示す平面図である。尚、図７において、図１から図５に示した第１実施形態に係る構成要素と同様の構成要素に同一の参照符合を付し、それらの説明は適宜省略する。
【００６０】
図７において、第２実施形態に係る液晶装置は、複数の画素電極９が複数の第１画素電極９１と複数の第２画素電極９２とから構成されており、複数の第３画素電極９３を備えていない点で、上述した第１実施形態と異なり、その他の点については、上述した第１実施形態に係る液晶装置１００と概ね同様に構成されている。
【００６１】
図７において、本実施形態では特に、複数の画素電極９は、互いに平面形状が異なる、複数の第１画素電極９１と、複数の第２画素電極９２とから構成されている。
【００６２】
複数の第１画素電極９１及び複数の第２画素電極９２は、走査線１１が延びる方向（即ち、Ｘ方向）に沿って交互に配列されている。即ち、複数の第１画素電極９１及び複数の第２画素電極９２は、走査線１１が延びる方向に沿って、第１画素電極９１、第２画素電極９２、第１画素電極９１、第２画素電極９２、第１画素電極９１、第２画素電極９２、・・・のように配列されている。更に、第１画素電極９１及び第２画素電極９２は、データ線６が延びる方向（即ち、Ｙ方向）に沿って交互に配列されている。即ち、複数の第１画素電極９１及び複数の第２画素電極９２は、データ線６が延びる方向に沿って、第１画素電極９１、第２画素電極９２、第１画素電極９１、第２画素電極９２、第１画素電極９１、第２画素電極９２、・・・のように配列されている。
【００６３】
即ち、複数の第１画素電極９１及び複数の第２画素電極９２は、走査線１１が延びる方向及びデータ線６が延びる方向のいずれの方向に沿っても、第１画素電極９１同士が互いに隣り合わないように、且つ、第２画素電極９２同士が互いに隣り合わないように、交互に配列されている。
【００６４】
よって、本実施形態によれば、第１実施形態と概ね同様に、走査線１１が延びる方向に沿って互いに隣り合う画素電極９間に生じる横電界を少なくとも部分的に弱めることができる。より具体的には、走査線１１が延びる方向に沿って互いに隣り合う第１画素電極９１及び第２画素電極９２間に横電界が、データ線６が延びる方向に沿って比較的強い強度で連続的に発生することを低減或いは防止できる。従って、動画像を表示する際における横電界に起因する残像及び尾引き等の表示上の不具合の発生を低減できる。
【００６５】
＜電子機器＞
次に、上述した電気光学装置である液晶装置を各種の電子機器に適用する場合について説明する。ここでは、上述した液晶装置をライトバルブとして用いたプロジェクタについて、図８を参照して説明する。ここに図８は、プロジェクタの構成例を示す平面図である。
【００６６】
図８に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００６７】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００６８】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００６９】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【００７０】
尚、図８を参照して説明した電子機器の他にも、モバイル型のパーソナルコンピュータや、携帯電話、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【００７１】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００７２】
本発明は、上述した実施形態に限られるものではなく、特許請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００７３】
【図１】第１実施形態に係る液晶装置の構成を示す平面図である。
【図２】図１のＨ−Ｈ’線断面図である。
【図３】第１実施形態に係る液晶装置の複数の画素部の等価回路図である。
【図４】第１実施形態に係る液晶装置の複数の画素電極の構成を示す平面図である。
【図５】図４に示す複数の画素電極のうち互いに隣り合う第１画素電極及び第２画素電極を拡大して示す平面図である。
【図６】第１実施形態の比較例に係る液晶装置における液晶の配向状態を図式的に示す概念図である。
【図７】第２実施形態に係る液晶装置の複数の画素電極の構成を示す平面図である。
【図８】電気光学装置を適用した電子機器の一例たるプロジェクタの構成を示す平面図である。
【符号の説明】
【００７４】
６…データ線、９…画素電極、１０…ＴＦＴアレイ基板、１１…走査線、２０…対向基板、２１…対向電極、３０…ＴＦＴ、５０…液晶層、９１…第１画素電極、９２…第２画素電極、９３…第３画素電極
【図１】
2010060901.tif 000003
【図２】
2010060901.tif 000004
【図３】
2010060901.tif 000005
【図４】
2010060901.tif 000006
【図５】
2010060901.tif 000007
【図６】
2010060901.tif 000008
【図７】
2010060901.tif 000009
【図８】
2010060901.tif 000010